(57)【要約】      （修正有）【課題】電源延長コードは、それの隣接するソケットは差し込み口がアダプタ若しくはバッテリ充電器の部分でよく閉鎖若しくは覆われているので使用できない。電源延長コードを使用するために便利であり得るが、使用中に注意が欠如した場合に危険な状況が発生し得る。【解決手段】電源ハブ２０の入力端子は、電源に電気的に連結されている。ハブは、電源を第１の電極、第２の電極及び接地電極を有する複数の出力端子の中に配分する。複数のソケットは、３つのより線ケーブルを通って出力端子から外へ延長する。各ソケットは、第１の電極、第２の電極及び接地電極に対応する３穴３２，３２’、３２”を有する。複数の３穴ソケットは、第１の方向に開口するように設計されている。３つのより線ケーブルのより線は、第１の方向に順に重ねて設置され、第１の方向に対して実質的に垂直な方向でハブの外側に延長されている。【選択図】図３
2012256588.tif 000002
【特許請求の範囲】
【請求項１】
電源に電気的に接続された入力端子と、
前記入力端子に電気的に接続され、それぞれに第１の電極、第２の電極及び接地電極を有する複数の出力端子と、
電源ハブの外部に延長し、それぞれに、前記出力端子の前記第１の電極、前記第２の電極及び前記接地電極に連結された３つのより線を有する複数のケーブルと、
前記各ケーブルに電気的に接続された複数の３穴ソケットと、を有し、
前記３穴ソケットは、第１の方向に開口され、
前記各ケーブルの３つのより線は、前記第１の方向に実質的に垂直な第２の方向の前記電源の外部へ延長するように配置され、前記第１の方向に平行面で積み重ねて配置される、電源ハブ。
【請求項２】
プラグを通す電源に連結された一端部を有する延長コードと、前記ハブの前記入力端子に連結された他端と、をさらに有する請求項１に記載の電源ハブ。
【請求項３】
調節ケーブルの長さは、３穴のおソケットがジグザグ形状に配置されるようにお互いに異なる、請求項１に記載の電源ハブ。
【請求項４】
前記ハブは、扁円形状であり、前記ソケットのケーブルは、前記ハブの外周に沿って外側へ半径方向に且つ垂直方向に延長する。
【請求項５】
前記ケーブルの各より線は、少なくとも１．１０ｍｍ２の断面積を有する、請求項４に記載の電源ハブ。
【請求項６】
電力を選択的に切る若しくは入れるために前記ハブに配置されたスイッチデバイスをさらに有する、請求項５に記載の電源ハブ。
【請求項７】
前記ソケットの各々は、当該ソケットに係るプラグの簡易な取り外しのための引き抜きデバイスを有し、
前記引き抜きデバイスは、前記ケーブル上に設置され、前記ソケットに枢動可能に取り付けられたレバーを有し、当該レバーは、前記ソケットから前記プラグを外すために前記プラグで力を発揮するために枢動可能である。
【発明の詳細な説明】
【技術分野】
【０００１】
本発明は、電源延長コードの多口ソケット、特に、ソケットは電化製品のプラグの差込み口に促すように容易に動かすことができる電源延長コードの電源ハブのフレキシブルソケットに、関連する。
【背景技術】
【０００２】
現在、家電製品の数は、ますます増加し、使用されるソケットの数は、大抵、制限される。特にソケットの多くは、コンピュータ及びその周辺機器に必要とされる。一般的に、複数の多口ソケットを有する電源延長コードは、要求を実現させてきた。しかし、このような電源延長コードは、例えば、アダプタ若しくはバッテリ充電器がソケットの1つに差し込まれた場合には課題があり、それの隣接するソケットは差し込み口がアダプタ若しくはバッテリ充電器の部分でよく閉鎖若しくは覆われているので使用できない。電源延長コードを使用するために便利であり得るが、使用中に注意が欠如した場合に危険な状況が発生し得る。特に、小径のワイヤを有する延長コードの複数のソケットは、複数の大電力消費電化製品及びこれらの全負荷に耐えることがほとんど不可能である。使用者は、潜在的な危険を常にさらされている。
【０００３】
従来の延長コードの複数のソケットの短所を改善するために、例えば、図１及び２に示すように、台湾特許公開公報Ｎｏ.２００７４４２６７（アメリカ合衆国公開公報Ｎｏ．２００７／０２７３２９８  Ａ１に対応）で出願人は、電源延長コードの多口ソケットを提案している。ここで、複数のソケットは、複数のソケットのフレキシブルケーブルに従って各々に関連して移動され得る。前述の特許公開公報に開示されたような発明は、従来の電源延長コードをされに改良し得るけれども、使用中に動かすためにフレキシブルケーブルを屈曲することは容易ではないことが判る。特に、１．１０ｍｍ２を越えるワイヤ直径を有するより線のケーブルは、比較的に高い剛性を有し、複数のソケットを一時的に動かすことは容易ではない。図２の断面図に示されるように、各ソケットは、主に、３つのより線で形成されたケーブルを有する。自由状態で、ケーブルの３つより線は、三角形配置で実質的に形成され、このケーブルの３つのより線の外層は、Ｐ．Ｖ．Ｃ材で被覆されている。従って、ケーブルが屈曲するいずれかの方向で、干渉が３つのより線及び被覆材の間に存在するだろう。物理的性質のために、屈曲ケーブル及び被覆材の内側部分での湾曲の半径は、小さいし、屈曲ケーブル及び被覆材の部分での湾曲の半径は大きい。ケーブル及び被覆材が、方向のいずれかに拡張できない状態で、屈曲することは、もちろん、困難である。この点での改善の余地がある。
【発明の概要】
【０００４】
本発明の主な目的は、従来の電源延長コードの複数のソケットの課題を改善するための電源ハブのフレキシブルソケットを提供することである。
【０００５】
前述の目的及びその他の目的を達成するために、本発明の電源ハブのフレキシブルソケットは、電源に連結された一端部を有する延長コードと、所定の長さで延長し、ハブの入力端子に連結された他端部と、電源を第１の電極、第２の電極及び接地電力を有する複数の出力端子に配分するために設計されているハブと、各々、複数の３つのより線ケーブルを通って出力端子から外へ延長される複数のソケットと、を有し、各ソケットは、各々、第１の電極、第２の電極及び接地電極に対応する３つの孔を有し、３穴孔ソケットは第１の方向へ開口され、各ケーブルの３つのより線は、第１の方向に対し実質的に垂直な第２の方向にハブの外部へ延長するように配置され、第１の方向に対し水平面に積み重ねて配置されている。このようにして、電化製品のプラグの差込み口に促すために右及び左に複数のソケットを屈曲し、配置することは容易である。
【０００６】
本発明のさらなる態様に従って、プラグ引き抜きデバイスが提供される。このデバイスは、ソケットに枢動可能に取り付けられたレバーを有する。レバーの一端部は、ソケットの内側に向かって延長され、第１の電極及び第２の電極に対応する孔の間に配置された引き上げアームに形成されている。レバーの他端部は、アプリケーションの突端部にあるようにソケットの外側に延長された押し下げハンドルに形成されている。押し下げハンドルが押し下げられた場合、引き上げアームが、省力でソケットからプラグの分離を進めるために上げられる。
【図面の簡単な説明】
【０００７】
【図１】図１は、従来技術の電源延長線のハブ及び複数のソケットを示す斜視図である。
【図２】図２は、図１の線２−２に従って得られた断面の概略図である。
【図３】図３は、本発明の電源ハブのフレキシブルソケットを示す斜視図である。
【図４】図４は、切断状態の本発明のフレキシブルソケットを示す斜視図である。
【図５】図５は、図４の直線５−５に従って得られた断面の概略図である。
【図６】図６は、本発明のフレキシブルソケットの使用状態を示す斜視図である。
【発明を実施するための形態】
【０００８】
本発明の技術的特徴は、実施形態と相まって詳細に記載されている。本実施形態は、代表的な例であり、発明の範囲を制限するものではない。さらなる理解は、後述の詳細な記載と供に添付図面に関連してされる。
【０００９】
始めに、図３及び図４を参照して、電源ハブのフレキシブルソケットに関連して、ハブ２０の入力端子は、電源に電気的に連結されている。ハブは、電源を第１の電極、第２の電極及び接地電極を含む複数の出力端子に配分している。複数の３つのより線ケーブル３１は、各々、第１の電極、第２の電極及びハブの出力端子の接地電極に連結されたケーブルの夫々のより線の一端に設けられている。ケーブル３１は、ハブ２０の外側へ延長している。複数の３穴ソケット３０は、対応する３つのより線ケーブル３１の他端に連結された各ソケットの端子をさらに設けられている。各ソケット３０は、第１の電極、第２の電極、接地電極に対応する３つの差し込み口３２、３２’及び３２”を有し、これらの差し込み口は、第１の方向へ開口されている。３つのより線ケーブル３１の各々のより線は、第１の方向へ順に重ねて配置され、第１の方向に実質的に垂直な第２の方向でハブ２０の外側へ延長する。本発明に従って、ハブ２０の入力端子は、プラグ１１を介して直接電源に電気的に接続される、即ち、ハブ２０の入力端子は、離れた電源に電気的に接続されるために所定の長さを有する延長線１０を有するハブ２０の外側に延長される。さらに、長尺ケーブル３１は、短尺ケーブル３１の１つ置きに配置されるように設置されているので、複数のソケットは、ジグザク形状で設置される（図示せず）。
【００１０】
本発明に関連して、好適には、ハブ２０は、扁円形状であり、複数のソケット３０のケーブル３１は、ハブ２０の外周から外側に半径方向へ且つ水平に延長している。好適には、スイッチデバイス２１は、複数のソケット３０の電源を選択的に切る若しくは入れるためにハブ２０に設けられている。また、安全規制の考えの下で、各ソケット３０の３つのより線ケーブル３１の各より線は、少なくとも１．１０ｍｍ２の断面積を有し、従来型のケーブルのように、３つのより線ケーブルの外側は、Ｐ．Ｖ．Ｃ材で被覆され、フレキシブルセクション３１’を形成するための凹凸リブで形作られている。図５に示されるように、３つのより線ケーブルの各々のより線は、第１の方向へ順に重ねて配置され、お互いに一直線である。横断面でフレキシブルセクション３１’の幅は、単線ケーブルのワイヤ直径よりも僅かに大きい。従って、電化製品のプラグの差込み口に促すために、複数のソケット３０を斜めにずらすことは容易である。
【００１１】
さらに、図６に示すように、本発明のソケット３０は、省力な方法で電化製品のプラグを開放できるプラグ引き抜きデバイス３４を伴って設計されている。プラグ引き抜きデバイス３４は、軸ピン３５を介するソケットの上部に設置された対の耳部３６に枢動可能に取り付けられたレバーを有する。レバーの一端は、ソケットの内側に対して延長され、第１の電極及び第２の電極に対応する差し込み口３２及び３２’の間に配置された持ち上げアーム３４ａに形成され、ソケット３０の上面で平坦である。レバーの他端は、アプリケーションの突端部の機能を果たすソケット３０の外側に延長された押し下げハンドル３４ｂに形成されている。同時に、電化製品のプラグは、ソケット３０からプラグの引き抜きを進めるために上側へ動かされる。
【００１２】
前述の実施形態は、本発明の代表的な記載であり、本発明の実施範囲を限定されるべきではない。本発明の請求の範囲から逸脱しない同等の変更及び改良は、本発明の範囲にさらに含まれるべきである。
【符号の説明】
【００１３】
１０…延長線、１１…プラグ、２０…ハブ、２１…スイッチデバイス、３０…ソケット、３１…ケーブル、３１’…フレキシブルセクション、３２，３２’，３２”…差し込み口、３４…プラグ引き抜きデバイス、３４ａ…起き上がりアーム、３４ｂ…押し下げハンドル、３５…軸ピン、３６…耳部。
【図１】
2012256588.tif 000003
【図２】
2012256588.tif 000004
【図３】
2012256588.tif 000005
【図４】
2012256588.tif 000006
【図５】
2012256588.tif 000007
【図６】
2012256588.tif 000008
【外国語明細書】
2012256588000001.pdf